【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
無線通信システムにおける自動再送要求（ＡＲＱ）リセット手続きを初期化する方法であって、
ＡＲＱリセット手順を実行するための接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を含むＡＲＱリセットメッセージを生成するステップと、
前記ＡＲＱリセットメッセージを送信するステップと
を有することを特徴とする制御情報を送信する方法。
【請求項２】
前記ＡＲＱリセットメッセージは、メッセージタイプ、タイプ、予約されたビットに対する情報のうちの少なくとも１つを含むことを特徴とする請求項１に記載の制御情報を送信する方法。
【請求項３】
前記タイプは、イニシエータからの自動再送要求（ＡＲＱ）リセット初期化メッセージ、レスポンダからの自動再送要求リセット確認（ＡＣＫ）メッセージ、及び前記イニシエータからの自動再送要求リセット確認メッセージ及び予約された値のうちの少なくとも１つを示すことを特徴とする請求項２に記載の制御情報を送信する方法。
【請求項４】
前記ダウンリンク／アップリンク指示子はビット情報として表現され、前記ビット情報が‘０ｂ００’であれば、前記ダウンリンク／アップリンク指示子は‘前記ＤＬ接続’を示し、前記ビット情報が‘０ｂ０１’であれば、前記ダウンリンク／アップリンク指示子は‘前記ＵＬ接続’を示すことを特徴とする請求項３に記載の制御情報を送信する方法。
【請求項５】
前記タイプはビット情報として表現され、前記タイプの前記ビット情報が‘０ｂ００’であれば、前記タイプはオリジナルメッセージを示し、前記タイプの前記ビット情報が‘０ｂ０１’であれば、前記タイプは前記ＡＣＫを示し、前記タイプの前記ビット情報が‘０ｂ１０’であれば、前記タイプは前記確認を示し、前記タイプの前記ビット情報が‘０ｂ１１’であれば、前記タイプは前記予約された値を示すことを特徴とする請求項３に記載の制御情報を送信する方法。
【請求項６】
前記ダウンリンク／アップリンク指示子は１ビットで構成され、前記フロー識別子は４ビットで構成され、前記タイプは２ビットで構成され、前記予約された値は１ビットで構成され、前記１ビットは０であることを特徴とする請求項３に記載の制御情報を送信する方法。
【請求項７】
無線通信システムにおける自動再送要求（ＡＲＱ）リセット手続きを初期化する方法であって、
ＡＲＱリセットメッセージを受信するステップと、
ＡＲＱリセット手順を実行する接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を含むＡＲＱリセットメッセージを復号するステップと、
前記ダウンリンク／アップリンク指示子及び前記フロー識別子に基づいて前記接続が前記アップリンク接続であるか又は前記ダウンリンク接続であるかを判定するステップと
を有することを特徴とする制御情報を受信する方法。
【請求項８】
前記ＡＲＱリセットメッセージは、メッセージタイプ、タイプ、予約されたビットに対する情報のうちの少なくとも１つを含むことを特徴とする請求項７に記載の制御情報を受信する方法。
【請求項９】
前記タイプは、イニシエータから自動再送要求（ＡＲＱ）リセット初期化メッセージ、レスポンダから自動再送要求リセット確認（ＡＣＫ）メッセージ、及び前記イニシエータから自動再送要求リセット確認メッセージ及び予約された値のうちの少なくとも１つを含むことを特徴とする請求項８に記載の制御情報を受信する方法。
【請求項１０】
ダウンリンク／アップリンク指示子はビット情報として表現され、前記ビット情報が‘０ｂ００’であれば、前記ダウンリンク／アップリンク指示子は‘前記ＤＬ接続’を示し、もし、前記ビット情報が‘０ｂ０１’であれば、前記ダウンリンク／アップリンク指示子は‘前記ＵＬ接続’を示すことを
特徴とする請求項９に記載の制御情報を受信する方法。
【請求項１１】
前記タイプはビット情報として表現され、前記タイプの前記ビット情報が‘０ｂ００’であれば、前記タイプはオリジナルメッセージを示し、前記タイプの前記ビット情報が‘０ｂ０１’であれば、前記タイプは前記ＡＣＫを示し、前記タイプの前記ビット情報が‘０ｂ１０’であれば、前記タイプは前記確認を示し、前記タイプの前記ビット情報が‘０ｂ１１’であれば、前記タイプは前記予約された値を示すことを特徴とする請求項９に記載の制御情報を受信する方法。
【請求項１２】
前記ダウンリンク／アップリンク指示子は１ビットで構成され、前記フロー識別子は４ビットで構成され、前記タイプは２ビットで構成され、前記予約された値は１ビットで構成され、前記１ビットは０であることを特徴とする請求項９に記載の制御情報を受信する方法。
【請求項１３】
無線通信システムにおける自動再送要求（ＡＲＱ）リセット手順を初期化する装置であって、
ＡＲＱリセット手順を実行するための接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を含むＡＲＱリセットメッセージを生成する制御器と、
前記ＡＲＱリセットメッセージを送信する送信器と
を有することを特徴とする制御情報を送信する装置。
【請求項１４】
前記ＡＲＱリセットメッセージは、メッセージタイプ、タイプ、予約されたビットに対する情報のうちの少なくとも１つを含むことを特徴とする請求項１３に記載の制御情報を送信する装置。
【請求項１５】
前記タイプは、イニシエータから自動再送要求（ＡＲＱ）リセット初期化メッセージ、レスポンダから自動再送要求リセット確認（ＡＣＫ）メッセージ、及び前記イニシエータから自動再送要求リセット確認メッセージ及び予約された値のうちの少なくとも１つを示すことを特徴とする請求項１３に記載の制御情報を送信する装置。
【請求項１６】
前記ダウンリンク／アップリンク指示子はビット情報として表現され、前記ビット情報が‘０ｂ００’であれば、前記ダウンリンク／アップリンク指示子は‘前記ＤＬ接続’を示し、前記ビット情報が‘０ｂ０１’であれば、前記ダウンリンク／アップリンク指示子は‘前記ＵＬ接続’を示すことを特徴とする請求項１３に記載の制御情報を送信する装置。
【請求項１７】
前記タイプはビット情報として表現され、前記タイプの前記ビット情報が‘０ｂ００’であれば、前記タイプはオリジナルメッセージを示し、前記タイプの前記ビット情報が‘０ｂ０１’であれば、前記タイプは前記ＡＣＫを示し、前記タイプの前記ビット情報が‘０ｂ１０’であれば、前記タイプは前記確認を示し、前記タイプの前記ビット情報が‘０ｂ１１’であれば、前記タイプは前記予約された値を示すことを特徴とする請求項１３に記載の制御情報を送信する装置。
【請求項１８】
前記ダウンリンク／アップリンク指示子は１ビットで構成され、前記フロー識別子は４ビットで構成され、前記タイプは２ビットで構成され、前記予約された値は１ビットで構成され、前記１ビットは０であることを特徴とする請求項１３に記載の制御情報を送信する装置。
【請求項１９】
無線通信システムにおける自動再送要求（ＡＲＱ）リセット手順を初期化する制御情報を受信する装置であって、
ＡＲＱリセットメッセージを受信する受信器と、
自動再送要求（ＡＲＱ）リセット手順を実行するための接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を含むＡＲＱリセットメッセージを復号するプロセッサと、前記ダウンリンク／アップリンク指示子及び前記フロー識別子に基づいて、前記接続が前記アップリンク接続であるか前記ダウンリンク接続であるかを判定する制御器と
を有することを特徴とする制御情報を受信する装置。
【請求項２０】
前記ＡＲＱリセットメッセージは、メッセージタイプ、タイプ、予約されたビットに対する情報のうちの少なくとも１つを含むことを特徴とする請求項１９に記載の制御情報を受信する装置。
【請求項２１】
前記制御情報は、イニシエータから自動再送要求（ＡＲＱ）リセット初期化メッセージ、レスポンダから自動再送要求リセット確認（ＡＣＫ）メッセージ、及び前記イニシエータから自動再送要求リセット確認メッセージ及び予約された値のうちの少なくとも１つを含むことを特徴とする請求項２０に記載の制御情報を受信する装置。
【請求項２２】
前記ダウンリンク／アップリンク指示子はビット情報として表現され、前記ビット情報が‘０ｂ００’であれば、前記ダウンリンク／アップリンク指示子は‘前記ＤＬ接続’を示し、前記ビット情報が‘０ｂ０１’であれば、前記ダウンリンク／アップリンク指示子は‘前記ＵＬ接続’を示すことを特徴とする請求項２１に記載の制御情報を受信する装置。
【請求項２３】
前記タイプはビット情報として表現され、前記タイプの前記ビット情報が‘０ｂ００’であれば、前記タイプはオリジナルメッセージを示し、前記タイプの前記ビット情報が‘０ｂ０１’であれば、前記タイプは前記ＡＣＫを示し、前記タイプの前記ビット情報が‘０ｂ１０’であれば、前記タイプは前記確認を示し、前記タイプの前記ビット情報が‘０ｂ１１’であれば、前記タイプは前記予約された値を示すことを特徴とする請求項２１に記載の制御情報を受信する装置。 
【請求項２４】
前記ダウンリンク／アップリンク指示子は１ビットで構成され、
前記フロー識別子は４ビットで構成され、前記タイプは２ビットで構成され、前記予約された値は１ビットで構成され、前記１ビットは０であることを特徴とする請求項２１に記載の制御情報を受信する装置。